(57)【要約】【課題】アクセサリー電源がオンされた場合に不必要に負荷の起動が遅延することを抑制した「車載電源制御装置」を提供する。【解決手段】車載電源制御装置１の制御ユニット１５は、アクセサリー電源４がオフされた場合、集積回路３への電力の供給を停止するように電源回路１４を制御すると共に、当該電力供給停止のタイミングからアクセサリー電源４がオンされることなく第１時間が経過した場合、ＲＡＭ１７に記憶されたフラグの値を特定値とする一方、アクセサリー電源４がオンされた場合において、フラグの値が特定値のときは、アクセサリー電源４のオンに応じて負荷への電力の供給を開始するように電源回路１４を制御すると共に、フラグを特定値と異なる値とし、これにより、アクセサリー電源４がオンされたときに、電力の供給が停止されてから第１時間が経過している場合には、すぐに集積回路３への電力の供給を開始する。【選択図】図１
2019177722.tif 000002
【特許請求の範囲】
【請求項１】
アクセサリー電源に基づいて電源回路を制御する制御ユニットと、
前記制御ユニットからの制御に基づいて、車載バッテリーから供給される電力に基づく負荷への電力の供給の開始および停止を制御する前記電源回路とを備え、
前記制御ユニットは、
前記アクセサリー電源がオフされた場合、前記負荷への電力の供給を停止するように前記電源回路を制御すると共に、当該電力供給停止のタイミングから前記アクセサリー電源がオンされることなく第１時間が経過した場合、メモリーに記憶されたフラグの値を、前記アクセサリー電源がオンされることなく前記第１時間が経過したことを示す特定値とする一方、
前記アクセサリー電源がオンされた場合において、
前記フラグの値が前記特定値のときは、前記アクセサリー電源のオンに応じて前記負荷への電力の供給を開始するように前記電源回路を制御すると共に、前記フラグを特定値と異なる値とし、
前記フラグの値が前記特定値ではないときは、前記アクセサリー電源がオンされたタイミングから第２時間が経過したタイミングで前記負荷への電力の供給を開始するように前記電源回路を制御する
ことを特徴とする車載電源制御装置。
【請求項２】
前記第１時間の値と前記第２時間の値とは同じであることを特徴とする請求項１に記載の車載電源制御装置。
【請求項３】
前記負荷は、車両に設けられた装置を制御する集積回路であることを特徴とする請求項１または２に記載の車載電源制御装置。
【発明の詳細な説明】
【技術分野】
【０００１】
本発明は、車載電源制御装置に関し、特に、車両に設けられた負荷に電力を供給する電源回路を有する車載電源制御装置に用いて好適なものである。
【背景技術】
【０００２】
従来、車両に設けられた車載電源制御装置について、制御ユニットが、アクセサリー電源のオンに応じて、各種負荷（車両に設けられた装置を制御する制御回路等）に電力を供給する電源回路に対して、負荷への電力の供給の開始を指示し、電源回路から負荷に対して電力が供給されるようにしたものがある。従来の車載電源制御装置では、制御ユニットは、アクセサリー電源がオンされたときに、すぐに電源回路に負荷への電力の供給を行わせるのではなく、一定期間が経過してから負荷への電力の供給を行わせる。これは、負荷の再起動までに負荷のコンデンサーに蓄積された電荷が十分に放電されるようにし、負荷が再起動する時に、負荷がゼロ電位の電源電圧から立ち上がるようにするためである。すなわち、アクセサリー電源がオンされた後、一定期間が経過してから負荷に対して電力が供給される構成のため、アクセサリー電源のオフ、オンが非常に短い時間で行われた場合であっても、負荷に電源が供給されない期間として一定期間が確実に確保されることになり、その間に負荷のコンデンサーに蓄積された電荷が十分に放電される。
【０００３】
なお、特許文献１には、バッテリーからモーターへの電力供給を可能とするメインスイッチを設け、異常（過電流等）が発生した場合には自動でモーターへの電力供給を停止するようにした上で、メインスイッチの他に、異常の発生に伴うモーターへの電力供給の停止を解除することが可能な初期化スイッチを設けた電気機器について記載されている。特許文献１に記載された電気機器によれば、使用者は、メインスイッチとは別に設けられた初期化スイッチを用いて電力供給の停止を解除することが可能であるため、電力供給の停止が解除できなくなる（電源回路が再起動できなくなる）リスクを抑制することができる。
【先行技術文献】
【特許文献】
【０００４】
【特許文献１】特開２０１７−１５８４０１号公報
【発明の概要】
【発明が解決しようとする課題】
【０００５】
上述したように、従来の車載電源制御装置では、アクセサリー電源がオンされた場合、制御ユニットは一定期間が経過してから電源回路に電力の供給を開始させる。このような構成のため、負荷のコンデンサーの電荷が既に十分に放電されている場合であっても、アクセサリー電源がオンされたタイミングと負荷への電力の供給が開始されるタイミングとの間に必ず待機時間が発生することになり、不必要に負荷の起動（負荷に対する電力の供給の開始）が遅延する場合があった。
【０００６】
本発明は、このような問題を解決するために成されたものであり、アクセサリー電源がオンされた場合に不必要に負荷の起動が遅延することを抑制することを目的とする。
【課題を解決するための手段】
【０００７】
上記した課題を解決するために、本発明の車載電源制御装置は、アクセサリー電源に基づいて電源回路を制御する制御ユニットと、制御ユニットからの制御に基づいて、車載バッテリーから供給される電力に基づく負荷への電力の供給の開始および停止を制御する電源回路とを備えている。そして、制御ユニットは、アクセサリー電源がオフされた場合、負荷への電力の供給を停止するように電源回路を制御すると共に、当該電力供給停止のタイミングからアクセサリー電源がオンされることなく第１時間が経過した場合、メモリーに記憶されたフラグの値を、アクセサリー電源がオンされることなく第１時間が経過したことを示す特定値とする一方、アクセサリー電源がオンされた場合において、フラグの値が特定値のときは、アクセサリー電源のオンに応じて負荷への電力の供給を開始するように電源回路を制御すると共に、フラグを特定値と異なる値とし、フラグの値が特定値ではないときは、アクセサリー電源がオンされたタイミングから第２時間が経過したタイミングで負荷への電力の供給を開始するように電源回路を制御する。
【発明の効果】
【０００８】
上記のように構成した本発明によれば、アクセサリー電源がオフされた後に負荷のコンデンサーの電荷が十分に放電されるのに必要な第１時間が経過したか否かが管理される。そして、アクセサリー電源がオンされたときに、アクセサリー電源がオフされた後に第１時間が経過している場合には、第２時間だけ待機することなく、すぐに電源回路から付加への電力の供給が開始される。このため、不必要に負荷の起動が遅延することを抑制することができる。
【図面の簡単な説明】
【０００９】
【図１】本発明の一実施形態に係る車載電源制御装置のハードウェア構成例を示すブロック図である。
【図２】第１ケースにおける制御ユニットの動作の説明に用いるタイミングチャートである。
【図３】第２ケースにおける制御ユニットの動作の説明に用いるタイミングチャートである。
【図４】第３ケースにおける制御ユニットの動作の説明に用いるタイミングチャートである。
【発明を実施するための形態】
【００１０】
以下、本発明の一実施形態を図面に基づいて説明する。図１は、本実施形態に係る車載電源制御装置１のハードウェア構成例を示すブロック図である。車載電源制御装置１は、車両に搭載された装置であり、車両のアクセサリー電源４がユーザーによってオンされた場合に、車載バッテリー２から供給される電力（電源電圧）を所定電圧に変換して集積回路３（特許請求の範囲の「負荷」に相当）に供給し、アクセサリー電源４がオフされた場合に、集積回路３への電力の供給を停止する機能を有する。
【００１１】
集積回路３は、例えば、車両に設けられた各種装置（例えば、オーディオ装置や、放送受信装置、空気調和装置）を制御する制御回路である。集積回路３には、回路における電圧の安定、その他の目的でコンデンサーが実装されており、集積回路３が一旦シャットダウンした後、再起動するまでにコンデンサーに蓄積された電荷の放電が完了されるようにし、負荷の再起動の際に、負荷がゼロ電位の電源電圧から立ち上がるようにする必要がある。なお、本実施形態では、集積回路３のシャットダウンとは、集積回路３への電力の供給の停止を意味し、集積回路３の起動とは、集積回路３への電力の供給の開始を意味する。
【００１２】
図１に示すように、車載電源制御装置１は、バッテリー検出回路１０、常時電源回路１１、リセット信号生成回路１２、アクセサリー電源検出回路１３、電源回路１４、制御ユニット１５および不揮発性メモリー１６を備える。
【００１３】
バッテリー検出回路１０は、車載バッテリー２に接続された第１電力供給ライン２０に接続され、車載バッテリー２の電源電圧が所定電圧以上であるか否かを検出し、検出結果に応じたバッテリー検出信号ＴＸ１を制御ユニット１５に出力する。より詳細には、バッテリー検出回路１０は、車載バッテリー２の電源電圧が所定電圧以上の間は継続してハイレベルのバッテリー検出信号ＴＸ１を制御ユニット１５に出力し、所定電圧を下回る間は継続してローレベルのバッテリー検出信号ＴＸ１を制御ユニット１５に出力する。
【００１４】
常時電源回路１１は、第１電力供給ライン２０に接続され、車載バッテリー２から供給される電力を所定電圧に変換し、第２電力供給ライン２１を介してリセット信号生成回路１２および制御ユニット１５に供給する。
【００１５】
リセット信号生成回路１２は、第２電力供給ライン２１に接続され、常時電源回路１１の電源電圧が所定電圧以上であるか否かを検出し、検出結果に応じたリセット制御信号ＴＸ２を制御ユニット１５に出力する。より詳細には、リセット信号生成回路１２は、常時電源回路１１の電源電圧が所定電圧以上の間は継続してハイレベルのリセット制御信号ＴＸ２を制御ユニット１５に出力し、所定電圧を下回る間は継続してローレベルのリセット制御信号ＴＸ２を制御ユニット１５に出力する。ローレベルのリセット制御信号ＴＸ２が制御ユニット１５に入力されると、制御ユニット１５がリセットされる。その後、リセット制御信号ＴＸ２のレベルがローレベルからハイレベルへと切り替わると、制御ユニット１５のリセットが解除され、制御ユニット１５が起動される。
【００１６】
アクセサリー電源検出回路１３は、アクセサリー電源４に接続された第３電力供給ライン２２に接続され、アクセサリー電源４の電源電圧が所定電圧以上であるか否かを検出し、検出結果に応じたアクセサリー電源検出信号ＴＸ３を制御ユニット１５に出力する。なお、ユーザーによりアクセサリー電源４がオンされた場合はアクセサリー電源４の電源電圧が所定電圧以上となり、オフされた場合はアクセサリー電源４の電源電圧が所定電圧を下回ることになる。アクセサリー電源検出回路１３は、アクセサリー電源４の電源電圧が所定電圧以上の間は継続してハイレベルのアクセサリー電源検出信号ＴＸ３を制御ユニット１５に出力し、所定電圧を下回る間は継続してローレベルのアクセサリー電源検出信号ＴＸ３を制御ユニット１５に出力する。
【００１７】
電源回路１４は、第１電力供給ライン２０および第４電力供給ライン２３に接続され、車載バッテリー２から第１電力供給ライン２０を介して供給される電力を所定電圧に変換し、第４電力供給ライン２３を介して集積回路３に供給する。詳述すると、電源回路１４は、制御ユニット１５からハイレベルの電源制御信号ＴＸ４を入力すると、電源制御信号ＴＸ４の入力をトリガーとして集積回路３への電力の供給を開始する。電源回路１４は、制御ユニット１５からハイレベルの電源制御信号ＴＸ４を入力している間、継続して集積回路３への電力の供給を行う。電源回路１４は、制御ユニット１５から入力する電源制御信号ＴＸ４のレベルがハイレベルからローレベルへと切り替わると、集積回路３への電力の供給を停止する。電源回路１４は、制御ユニット１５からローレベルの電源制御信号ＴＸ４を入力している間、継続して集積回路３への電力の供給を停止する。
【００１８】
制御ユニット１５は、ＣＰＵ、ＲＯＭ、ＲＡＭ１７、その他の回路を備えている。制御ユニット１５には、ＥＥＰＲＯＭ等の不揮発性メモリー１６が接続されている。制御ユニット１５は、ＣＰＵが、ＲＯＭに記憶された制御プログラムをＲＡＭ１７に読み出し、実行することにより、車載電源制御装置１の各部を制御する。ＲＡＭ１７は、ＳＲＡＭ（Static Ram）等の揮発性メモリーであり、後述する放電完了フラグ（特許請求の範囲の「フラグ」に相当）を記憶している。
【００１９】
制御ユニット１５は、アクセサリー電源４がオフされた場合（アクセサリー電源検出回路１３から入力するアクセサリー電源検出信号ＴＸ３のレベルがハイレベルからローレベルに切り替わった場合）、ローレベルの電源制御信号ＴＸ４の電源回路１４への出力を開始する。制御ユニット１５は、アクセサリー電源４がオフの間、継続してローレベルの電源制御信号ＴＸ４を電源回路１４に出力する。さらに、制御ユニット１５は、ローレベルの電源制御信号ＴＸ４の出力を開始したタイミングからアクセサリー電源４がオンされることなく第１時間Ｔ１が経過したか否かを監視し、第１時間Ｔ１が経過した場合、ＲＡＭ１７に記憶された放電完了フラグをオン値（「１」）とする。
【００２０】
一方、制御ユニット１５は、アクセサリー電源４がオンされた場合（アクセサリー電源検出回路１３から入力するアクセサリー電源検出信号ＴＸ３のレベルがローレベルからハイレベルに切り替わった場合）において、放電完了フラグがオン値のときは、アクセサリー電源４のオンに応じてすぐにハイレベルの電源制御信号ＴＸ４を電源回路１４に出力すると共に、放電完了フラグをオフ値（「０」）とする。また、制御ユニット１５は、アクセサリー電源４がオンされた場合において、放電完了フラグがオフ値のときは、アクセサリー電源４がオンされたタイミングから第２時間Ｔ２が経過したタイミングで、ハイレベルの電源制御信号ＴＸ４を電源回路１４に出力する。
【００２１】
以下、「アクセサリー電源４のオフに応じて電源制御信号ＴＸ４のレベルがハイレベルからローレベルに切り替わった後、さらに第１時間Ｔ１が経過した後にアクセサリー電源４がオンされた場合（第１ケース）」、「アクセサリー電源４のオフに応じて電源制御信号ＴＸ４のレベルがハイレベルからローレベルに切り替わった後、第１時間Ｔ１よりも短い間隔でアクセサリー電源４がオンされた場合（第２ケース）」および「車載バッテリー２が瞬断した場合（第３ケース）」の３つのケースについて、電源制御信号ＴＸ４の出力に関する制御ユニット１５の処理について説明する。
【００２２】
＜第１ケース＞
以下、アクセサリー電源４のオフに応じて電源制御信号ＴＸ４のレベルがハイレベルからローレベルに切り替わった後、さらに第１時間Ｔ１が経過した後にアクセサリー電源４がオンされた場合（第１ケース）の制御ユニット１５の処理について図２のタイミングチャートを用いて説明する。図２は、車載バッテリー２の電源電圧の状態（図２（Ａ））、制御ユニット１５がアクセサリー電源検出回路１３から入力するアクセサリー電源検出信号ＴＸ３の状態（図２（Ｂ））、制御ユニット１５が電源回路１４に出力する電源制御信号ＴＸ４の状態（図２（Ｃ））、集積回路３の電源電圧の状態（図２（Ｄ））、および、放電完了フラグの値（図２（Ｅ））の時間の経過に伴う変化を示すタイミングチャートである。
【００２３】
なお、集積回路３の電源電圧の状態は、電源回路１４から所定電圧（本実施形態では「３．３Ｖ」とする）の電力が供給されている状態から、電力の供給が停止すると、電位が３．３Ｖから徐々に降下していきゼロ電位に至る。ゼロ電位のときには、集積回路３のコンデンサーに蓄積された電荷の放電が完了しており、この状態のときに集積回路３を起動させた場合、ゼロ電位からの起動となり、安全に集積回路３を起動させることができる。
【００２４】
図２において、タイミングＴＡ０では、アクセサリー電源４はオン、放電完了フラグはオフ値である。この状態から、タイミングＴＡ１のときにアクセサリー電源４がオフされると、アクセサリー電源検出回路１３は、アクセサリー電源検出信号ＴＸ３のレベルをハイレベルからローレベルに切り替える（図２（Ｂ））。制御ユニット１５は、ローレベルのアクセサリー電源検出信号ＴＸ３の入力に応じて、タイミングＴＡ２でローレベルの電源制御信号ＴＸ４の出力を開始する（図２（Ｃ））。
【００２５】
電源回路１４は、制御ユニット１５から入力する電源制御信号ＴＸ４のレベルがハイレベルからローレベルに切り替わると、タイミングＴＡ２で集積回路３への電力の供給を停止する。電力の供給の停止に伴って、集積回路３の電源電圧は、タイミングＴＡ２を起点として「３．３Ｖ」から徐々に降下していく（図２（Ｄ））。
【００２６】
タイミングＴＡ２でローレベルの電源制御信号ＴＸ４の出力を開始した後、制御ユニット１５は、タイミングＴＡ２を起点として経過時間の計測を開始する。なお、制御ユニット１５は、クロック回路を有しており、クロック回路が出力するクロック信号に基づいて各種計時処理を実行する。第１ケースでは、アクセサリー電源４のオフに応じて電源制御信号ＴＸ４のレベルがハイレベルからローレベルに切り替わった後、さらに第１時間Ｔ１が経過した後にアクセサリー電源４がオンされる。従って、アクセサリー電源４がオンされる前に、第１時間Ｔ１が経過する。制御ユニット１５は、タイミングＴＡ２からの経過時間が第１時間Ｔ１となったことを検出すると、タイミングＴＡ２からの経過時間が第１時間Ｔ１となったタイミングＴＡ３で、ＲＡＭ１７に記憶された放電完了フラグをオン値（「１」）とする（図２（Ｅ））。
【００２７】
第１時間Ｔ１は、集積回路３への電力の供給の停止後、集積回路３の電源電圧がゼロ電位となる（＝コンデンサーに蓄積された電荷の放電が完了する）のに必要な時間とされている。従って、タイミングＴＡ２から第１時間Ｔ１が経過した段階では、集積回路３の電源電圧がゼロ電位となり、コンデンサーに蓄積された電荷の放電が完了している（図２（Ｄ））。これを踏まえ、放電完了フラグは、アクセサリー電源４がオフされた後、アクセサリー電源４がオンされることなく第１時間Ｔ１が経過したか否か、換言すれば、アクセサリー電源４のオフ後に集積回路３の電源電圧がゼロ電位となり、コンデンサーに蓄積された電荷の放電が完了したか否かを管理するフラグである。
【００２８】
タイミングＴ３よりも時間的に後のタイミングＴＡ４でアクセサリー電源４がオンされると、アクセサリー電源検出回路１３は、アクセサリー電源検出信号ＴＸ３をローレベルからハイレベルに切り替える（図２（Ｂ））。制御ユニット１５は、ハイレベルのアクセサリー電源検出信号ＴＸ３を入力すると、ＲＡＭ１７に記憶された放電完了フラグがオン値かオフ値かを判定する。第１ケースでは、タイミングＴＡ４の時点では放電完了フラグはオン値である（図２（Ｅ））。
【００２９】
制御ユニット１５は、放電完了フラグがオン値の場合、第２時間Ｔ２（後述）だけ待機することなく、タイミングＴＡ５ですぐにハイレベルの電源制御信号ＴＸ４を電源回路１４に出力する。（図２（Ｃ））。さらに、制御ユニット１５は、タイミングＴＡ５で放電完了フラグをオフ値とする（図２（Ｅ））。電源回路１４は、タイミングＴＡ５で制御ユニット１５から入力する電源制御信号ＴＸ４のレベルがローレベルからハイレベルへと切り替わると、集積回路３への電力の供給を開始する。タイミングＴＡ５を起点とした電力の供給の開始に応じて、集積回路３の電源電圧はゼロ電位から徐々に上昇していき、集積回路３が起動される（図２（Ｄ））。
【００３０】
以上のように、本実施形態によれば、アクセサリー電源４がオフされた後、第１時間Ｔ１が経過した後にアクセサリー電源４がオンされた場合（第１ケース）、アクセサリー電源４のオンに応じて第２時間Ｔ２の間待機することなく、すぐに集積回路３への電力の供給が開始される。第１ケースでは、アクセサリー電源４がオンされたタイミングでは、集積回路３のコンデンサーに蓄積する電荷の放電が完了しているため、上記構成により、不必要な待機時間が発生せず、不必要に負荷の起動が遅延することを抑制できる。
【００３１】
＜第２ケース＞
以下、アクセサリー電源４のオフに応じて電源制御信号ＴＸ４のレベルがハイレベルからローレベルに切り替わった後、第１時間Ｔ１よりも短い間隔でアクセサリー電源４がオンされた場合（第２ケース）の制御ユニット１５の処理について、図３のタイミングチャートを用いて説明する。図３は、車載バッテリー２の電源電圧の状態（図３（Ａ））、制御ユニット１５がアクセサリー電源検出回路１３から入力するアクセサリー電源検出信号ＴＸ３の状態（図３（Ｂ））、制御ユニット１５が電源回路１４に出力する電源制御信号ＴＸ４の状態（図３（Ｃ））、集積回路３の電源電圧の状態（図３（Ｄ））、および、放電完了フラグの値（図３（Ｅ））の時間の経過に伴う変化を示すタイミングチャートである。
【００３２】
図３において、タイミングＴＢ０では、アクセサリー電源４はオン、放電完了フラグはオフ値である。この状態から、タイミングＴＢ１のときにアクセサリー電源４がオフされると、アクセサリー電源検出回路１３は、アクセサリー電源検出信号ＴＸ３をハイレベルからローレベルに切り替える（図３（Ｂ））。制御ユニット１５は、ローレベルのアクセサリー電源検出信号ＴＸ３の入力に応じて、タイミングＴＢ２でローレベルの電源制御信号ＴＸ４の出力を開始する（図３（Ｃ））。電源回路１４は、制御ユニット１５から入力する電源制御信号ＴＸ４のレベルがハイレベルからローレベルに切り替わると、タイミングＴＢ２で集積回路３への電力の供給を停止する。電力の供給の停止に伴って、集積回路３の電源電圧は、タイミングＴＢ２を起点として「３．３Ｖ」から徐々に降下していく（図３（Ｄ））。
【００３３】
タイミングＴＢ２でローレベルの電源制御信号ＴＸ４の出力を開始した後、制御ユニット１５は、タイミングＴＢ２を起点として経過時間の計測を開始する。第２ケースでは、ローレベルの電源制御信号ＴＸ４の出力が開始された後、第１時間Ｔ１が経過する前のタイミングＴＢ３でアクセサリー電源４がオンされる。
【００３４】
タイミングＴＢ３でアクセサリースイッチがオンされると、アクセサリー電源検出回路１３は、アクセサリー電源検出信号ＴＸ３をローレベルからハイレベルに切り替える（図３（Ｂ））。制御ユニット１５は、ハイレベルのアクセサリー電源検出信号ＴＸ３を入力すると、ＲＡＭ１７に記憶された放電完了フラグがオン値かオフ値かを判定する。第２ケースでは、タイミングＴＡ３の時点では放電完了フラグはオフ値である（図３（Ｅ））。
【００３５】
制御ユニット１５は、放電完了フラグがオフ値の場合、ハイレベルのアクセサリー電源検出信号ＴＸ３を入力したタイミングＴＢ３で電源制御信号ＴＸ４のレベルを切り替えることなく、タイミングＴＢ３を起点として第２時間Ｔ２の間待機する。第２時間Ｔ２は、第１時間Ｔ１と同様、集積回路３への電力の供給の停止後、集積回路３の電源電圧がゼロ電位となる（＝コンデンサーに蓄積された電荷の放電が完了する）のに必要な十分な時間である。本実施形態では、第２時間Ｔ２の値は、第１時間Ｔ１の値と同じである。
【００３６】
制御ユニット１５は、タイミングＴＢ３を起点として第２時間Ｔ２が経過したタイミングＴＢ４で電源制御信号ＴＸ４のレベルをローレベルからハイレベルに切り替える（図３（Ｃ））。電源回路１４は、タイミングＴＢ４で制御ユニット１５から入力する電源制御信号ＴＸ４のレベルがローレベルからハイレベルに切り替わると、集積回路３への電力の供給を開始する。電力の供給の開始に応じて、集積回路３の電源電圧はゼロ電位から徐々に上昇していき、集積回路３が起動される（図３（Ｄ））。
【００３７】
以上のように、本実施形態によれば、アクセサリー電源４がオフされた後、第１時間Ｔ１よりも短い間隔でアクセサリー電源４がオンされた場合（第２ケース）、第２時間Ｔ２の待機時間が発生し、この待機時間の間に集積回路３のコンデンサーに蓄積する電荷の放電が完了する。このような構成のため、アクセサリー電源４のオフ／オンの切り替えが非常に短い間に行われた場合であっても、コンデンサーに蓄積された電荷の放電が完了しておらず、集積回路３が中間電位から再起動されることを確実に防止できる。
【００３８】
＜第３ケース＞
以下、車載バッテリー２が瞬断した場合（第３ケース）の制御ユニット１５の処理について図４のタイミングチャートを用いて説明する。図４は、車載バッテリー２の電源電圧の状態（図４（Ａ））、制御ユニット１５がバッテリー検出回路１０から入力するバッテリー検出信号ＴＸ１の状態（図４（Ｂ））、常時電源回路１１の電源電圧の状態（図４（Ｃ））、制御ユニット１５がリセット信号生成回路１２から入力するリセット制御信号ＴＸ２の状態（図４（Ｄ））、制御ユニット１５がアクセサリー電源検出回路１３から入力するアクセサリー電源検出信号ＴＸ３の状態（図４（Ｅ））、制御ユニット１５が電源回路１４に出力する電源制御信号ＴＸ４の状態（図４（Ｆ））、集積回路３の電源電圧の状態（図４（Ｇ））、および、放電完了フラグの値（図４（Ｈ））の時間の経過に伴う変化を示すタイミングチャートである。
【００３９】
図４において、タイミングＴＣ０では、車載バッテリー２から正常に電力が供給されており、アクセサリー電源４はオン、放電完了フラグはオフ値の状態である。この状態から、タイミングＴＣ１のときに車載バッテリー２の瞬断が発生すると、車載バッテリー２の電源電圧は一気に低下する（図４（Ａ））。
【００４０】
タイミングＴＣ１における車載バッテリー２の電源電圧の低下に伴って、バッテリー検出回路１０が出力するバッテリー検出信号ＴＸ１のレベルはハイレベルからローレベルに切り替わる（図４（Ｂ））。また、常時電源回路１１の電源電圧は、タイミングＴＣ１を起点として低下していく（図４（Ｃ））。また、リセット信号生成回路１２が出力するリセット制御信号ＴＸ２のレベルは、タイミングＴＣ１でハイレベルからローレベルに切り替わる（図４（Ｄ））。また、アクセサリー電源検出回路１３が出力するアクセサリー電源検出信号ＴＸ３のレベルは、タイミングＴＣ１でハイレベルからローレベルに切り替わる（図４（Ｅ））。これは車載バッテリー２の瞬断に伴って、アクセサリー電源４の電源電圧が低下するからである。
【００４１】
また、タイミングＴＣ１を起点として制御ユニット１５がリセットされるため、制御ユニット１５が出力する電源制御信号ＴＸ４のレベルは、タイミングＴＣ１でハイレベルからローレベルに切り替わる（図４（Ｆ））。電源回路１４は、制御ユニット１５から入力する電源制御信号ＴＸ４のレベルがハイレベルからローレベルに切り替わると、タイミングＴＣ１で集積回路３への電力の供給を停止する。電力の供給の停止に伴って、集積回路３の電源電圧は、タイミングＴＣ１を起点として「３．３Ｖ」から徐々に降下していく（図４（Ｇ））。また、揮発性メモリーのＲＡＭ１７は、制御ユニット１５のリセットに伴ってリセットされ、ＲＡＭ１７に記憶されている放電完了フラグの値はタイミングＴＣ１で不定の状態となる（図４（Ｈ））。
【００４２】
タイミングＴＣ２で瞬断が終了すると、車載バッテリー２の電源電圧は徐々に上昇していく（図４（Ａ））。また、車載バッテリー２の電源電圧の上昇に伴って、常時電源回路１１の電源電圧もタイミングＴＣ２を起点として徐々に上昇していく（図４（Ｃ））。
【００４３】
常時電源回路１１の電源電圧がタイミングＴＣ３で所定電圧まで回復すると、リセット信号生成回路１２は、タイミングＴＣ３でハイレベルのリセット制御信号ＴＸ２を制御ユニット１５に出力する（図４（Ｄ））。ハイレベルのリセット制御信号ＴＸ２の入力に応じて、制御ユニット１５のリセットが解除され、制御ユニット１５が起動される。制御ユニット１５の起動に応じて、タイミングＴＣ３でＲＡＭ１７のリセットも解除される。このとき、ＲＡＭ１７に記憶された放電完了フラグの値は、初期値にクリアーされ、オフ値となる（図４（Ｈ））。
【００４４】
タイミングＴＣ４において車載バッテリー２の電源電圧が、バッテリー検出回路１０が用いる閾値以上に回復すると、バッテリー検出回路１０は、ハイレベルのバッテリー検出信号ＴＸ１を制御ユニット１５に出力する（図４（Ｂ））。また、アクセサリー電源４の電源電圧も回復し、アクセサリー電源検出回路１３は、タイミングＴＣ４でハイレベルのアクセサリー電源検出信号ＴＸ３を制御ユニット１５に出力する（図４（Ｅ））。タイミングＴＣ４でハイレベルのアクセサリー電源検出信号ＴＸ３を入力すると、制御ユニット１５は、ＲＡＭ１７に記憶された放電完了フラグがオン値かオフ値かを判定する。第３ケースでは、タイミングＴＣ４の時点では放電完了フラグはオフ値である（図４（Ｈ））。
【００４５】
制御ユニット１５は、放電完了フラグがオフ値の場合、ハイレベルのアクセサリー電源検出信号ＴＸ３を入力したタイミングＴＣ４で電源制御信号ＴＸ４のレベルを切り替えることなく、タイミングＴＣ４を起点として第２時間Ｔ２の間待機する。制御ユニット１５は、タイミングＴＣ４を起点として第２時間Ｔ２が経過したタイミングＴＣ５でハイレベルの電源制御信号ＴＸ４を電源回路１４に出力する（図４（Ｆ））。電源回路１４は、タイミングＴＣ５で制御ユニット１５から入力する電源制御信号ＴＸ４のレベルがローレベルからハイレベルに切り替わると、集積回路３への電力の供給を開始する。電力の供給の開始に応じて、集積回路３の電源電圧はゼロ電位から徐々に上昇していき、集積回路３が起動される（図４（Ｇ））。
【００４６】
以上のように、本実施形態によれば、車載バッテリー２の瞬断が発生した場合は、瞬断に伴う制御ユニット１５のリセットが解除されたときに、ＲＡＭ１７に記憶された放電完了フラグがオフ値となり、第２時間Ｔ２分の待機時間が必ず発生する。このため、車載バッテリー２の瞬断が発生した場合であっても、コンデンサーに蓄積された電荷の放電が完了しておらず、集積回路３が中間電位から再起動されることを確実に防止できる。
【００４７】
以上、本発明の実施形態を説明したが、上記実施形態は、本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００４８】
例えば、上記実施形態では、制御ユニット１５が出力する電源制御信号ＴＸ４のローレベルとハイレベルとは逆であってもよく、また、電力を供給させる期間と電力を供給させない期間とでそれぞれ継続して特定レベルの信号を出力するのではなく、各期間の始点と終点でパルス信号を出力する構成でもよい。他の回路についても同様である。
【００４９】
また、上記実施形態では、放電完了フラグの値のうちオン値（「１」）が、特許請求の範囲の「アクセサリー電源４がオンされることなく第１時間が経過したことを示す特定値」であった。ただし、オン値とオフ値とを逆にしてもよい。この場合、オフ値（「０」）が、特許請求の範囲の「アクセサリー電源４がオンされることなく第１時間が経過したことを示す特定値」となる。
【符号の説明】
【００５０】
１  車載電源制御装置
２  車載バッテリー
３  集積回路（負荷）
４  アクセサリー電源
１４  電源回路
１５  制御ユニット
【図１】
2019177722.tif 000003
【図２】
2019177722.tif 000004
【図３】
2019177722.tif 000005
【図４】
2019177722.tif 000006